(57)【要約】【課題】  どこにでも手軽に持運んで使用することができるポータブルトイレ装置を提供すること。【解決手段】  一回の排泄ごとにその排泄物を柔軟な袋体に収容して密閉パックし、該パックを落下させて貯めるように形成したポータブルトイレ装置において、装置本体が上蓋３０又は上蓋３０と下蓋４０を有する略トランク状の形態で、立設する脚材５０によって床上に載置できるように形成された便器本体１０を備え、便器本体１０は、上壁２１に便座２２を備えると共に内部に前記便座２２の下に袋体がセットされる便器２３とその下方に位置して袋体を密閉パックするパック部とパックした袋体を収容する貯留部とを備え、前記上蓋３０が、便座を覆う位置と上蓋３０を露出させる位置とに配置できるように前記便器本体１０に装設されると共に、前記便座２２を覆う位置で前記便器本体１０にラッチ３２により結合されるようにしたこと。【選択図】図４
0003143193.tif 000002
【実用新案登録請求の範囲】
【請求項１】
一回の排泄ごとにその排泄物を柔軟な袋体に収容して密閉パックし、該パックを落下させて貯めるように形成したポータブルトイレ装置において、
装置本体が上蓋又は上蓋と下蓋を有する略トランク状の形態で、立設する脚材によって床上に載置できるように形成された便器本体を備え、
便器本体は、上壁に便座を備えると共に内部に前記便座の下に袋体がセットされる便器とその下方に位置して袋体を密閉パックするパック部とパックした袋体を収容する貯留部とを備え、
前記上蓋が、便座を覆う位置と上蓋を露出させる位置とに配置できるように前記便器本体に装設されると共に、前記便座を覆う位置で前記便器本体にラッチにより結合されるようにした、
ことを特徴とするポータブルトイレ装置。
【請求項２】
便器本体は、側壁に把手を設けた請求項１に記載のポータブルトイレ装置。
【請求項３】
立設した脚材を含む全高が４００ｍｍ前後、脚材を格納したときの全高が２６０ｍｍ前後、全幅が４４０ｍｍ前後、全奥行きが４５０ｍｍ前後、重量が１８ｋｇ以下に形成された請求項１又は２に記載のポータブルトイレ装置。
【請求項４】
上蓋は、便器本体にヒンジを介して開閉自在に設けるか、又は、便器本体へ着脱可能に被せて設けた請求項１〜３のいずれかに記載のポータブルトイレ装置。
【請求項５】
開閉自在の上蓋は、ヒンジ連結された二つの部分からなり、この上蓋をほぼ逆Ｖ字状をなすように開けて垂下させたとき、垂下した上蓋の部分が脚材に支持された便器本体の高さ内に収まるように形成した請求項４に記載のポータブルトイレ装置。
【請求項６】
脚材は、格納されている便器本体から引き出して底部に固定するか、又は、略直立に起立させて当該便器本体の底部に立設配置し、その便器本体を下方から支持するようにした請求項１〜５のいずれかに記載のポータブルトイレ装置。
【請求項７】
便器本体は、排泄物を収容した袋体を密閉パックするパック部を動作させるための操作スイッチと、前記パック部に対する電源コンセントを備えた請求項１〜６のいずれかに記載のポータブルトイレ装置。
【請求項８】
下蓋が、前記貯留部の下カバーの一部を形成し、便器本体に対し着脱可能に設けられた請求項２〜７のいずれかに記載のポータブルトイレ装置。
【考案の詳細な説明】
【技術分野】
【０００１】
本考案はポータブルトイレ装置に係わり、さらに詳しくは、老人ホーム、病院、自宅などの固定的施設のみならず、建設現場、イベント会場や海，山など、どこにでも簡単に持運んで使用することができるポータブルトイレ装置に関する。
【背景技術】
【０００２】
可搬形トイレの中で、一回分ごとの排泄物を袋状容器に密閉してパックする方式のトイレは、大便、小便などの排泄物を手軽に処理することができるだけでなく、複数個のパックを収容して貯めておくことができ、メンテナンスも簡単に行なえるので、室内では勿論、トイレ設備のない屋外で使用すると至って便利である（例えば特許文献１を参照）。
【０００３】
しかし、トイレ装置自体が、可搬形とはいっても大型で重量も大きいため、老人ホーム、病院、自宅などの固定的施設に設置することはできても、建設現場、イベント会場、海，山などに手軽に搬送することができず、搬送できたとしても、組立てや設置にかなりの労力や時間を要するため、決して利用し易いものではなかった。
【特許文献１】特開２００７−１１７２８４号公報
【考案の開示】
【考案が解決しようとする課題】
【０００４】
本考案は、上記のような現状に鑑みて、どこにでも手軽に持運んで使用することができるポータブルトイレ装置を提供することを、その課題とする。
【課題を解決するための手段】
【０００５】
上記課題を解決することを目的としてなされた本考案ポータブルトイレ装置の構成は、一回の排泄ごとにその排泄物を柔軟な袋体に収容して密閉パックし、該パックを落下させて貯めるように形成したポータブルトイレ装置において、装置本体が上蓋又は上蓋と下蓋を有する略トランク状の形態で、立設する脚材によって床上に載置できるように形成された便器本体を備え、便器本体は、上壁に便座を備えると共に内部に前記便座の下に袋体がセットされる便器とその下方に位置して袋体を密閉パックするパック部とパックした袋体を収容する貯留部とを備え、前記上蓋が、便座を覆う位置と上蓋を露出させる位置とに配置できるように前記便器本体に装設されると共に、前記便座を覆う位置で前記便器本体にラッチにより結合されるようにしたことを特徴とするものである。本考案ポータブルトイレ装置では、側壁に把手を設けた構成とすることが好ましい。
【０００６】
上記の本考案ポータブルトイレ装置は、脚材を含む全高が４００ｍｍ前後、脚材を格納したときの全高が２６０ｍｍ前後、全幅が４４０ｍｍ前後、全奥行きが４５０ｍｍ前後、重量が１８ｋｇ以下に形成することが望ましい。
【０００７】
本考案では上記構成において、上蓋は、便器本体にヒンジを介して開閉自在に設けるか、又は、便器本体へ着脱可能に被せて設ける。ここでヒンジ開閉自在の上蓋は、ヒンジ連結された二つの部分からなり、この上蓋を略逆Ｖ字状をなすように開いて垂下させたとき、垂下した上蓋の部分が脚材に支持された便器本体の高さ内に収まるように形成するとよい。また、脚材は、格納されている便器本体から引き出して底部に固定するか又は略直立に起立させて当該便器本体の底部に立設配置し、その便器本体を下方から支持する。
【０００８】
また本考案では、便器本体に、排泄物を収容した袋体を密閉パックするパック部とパックした袋体を収容する保留部について、その電源や動作をオン，オフするための操作スイッチと、前記各部に対する電源コンセントを設ける。
【０００９】
さらに、上記構成における、下蓋は、前記貯留部の下カバーの一部を形成し、便器本体に対し着脱可能に設けても良い。
【考案の効果】
【００１０】
本考案ポータブルトイレ装置は、一回の排泄ごとにその排泄物を柔軟な袋体に収容して密閉パックし、該パックを落下させて貯めるように形成したポータブルトイレ装置において、装置本体が上蓋又は上蓋と下蓋を有する略トランク状の形態で、立設する脚材によって床上に載置できるように形成された便器本体を備え、便器本体は、上壁に便座を備えると共に内部に前記便座の下に袋体がセットされる便器とその下方に位置して袋体を密閉パックするパック部とパックした袋体を収容する貯留部とを備え、前記上蓋が、便座を覆う位置と上蓋を露出させる位置とに配置できるように前記便器本体に装設されると共に、前記便座を覆う位置で前記便器本体にラッチにより結合された構成であるから、老人ホーム、病院、自宅などの固定的施設のみならず、建設現場、イベント会場、海，山のような屋外や仮設の場所など、どこにでも手軽に持運んで使用することができる。
【考案を実施するための最良の形態】
【００１１】
以下、添付図を参照して、本考案ポータブルトイレ装置の一実施形態を説明する。添付図において、図１は本考案ポータブルトイレ装置の実施形態の一例を示す斜視図、図２は図１のトイレ装置の背面図、図３は図１のトイレ装置の下面図、図４は図１〜図３の本考案ポータブルトイレ装置の使用状態例を示す斜視図である。
【００１２】
本考案ポータブルトイレ装置は、図１に示すように、便器本体１０、上蓋３０および下蓋４０をもつ略トランク状の形態に形成されている。装置のサイズは、脚材５０の格納状態での全高は２６０ｍｍ前後であるが、図２に示す使用時に上蓋３０を開けて脚材５０をセットしたときの全高は４００ｍｍ前後である。また、全幅は４４０ｍｍ前後、全奥行きは４５０ｍｍ前後で、ここでは重量が１８ｋｇ以下である。本考案において、便器本体１０は、平面視四角形（矩形）状のほか、他の多角形状、例えば六角形状や八角形状などでもよく、また、略円形や卵型などの平面形状であってもよい。この場合、後述する上蓋３０や下蓋４０は本体１０の平面形状に則した外形のものになる。
【００１３】
便器本体１０は、アルミ等の軽金属、或は、軽量プラスチックなどの板材を組み立てたもので、上，下面が開放された中空の直方体状に形成されている。便器本体１０において側壁の一部をなす前壁１１には、把手１２が設けられている。把手１２は合成樹脂成型品で、手掛かりとなる穴１２ａを備えている。また、前壁１１には使用者に対する表示部１３が設けられている。表示部１３は、一例として使用回数を示す液晶板、通電を知らせる発光ダイオード、使用可能状態を示す発光ダイオード、操作エラーを示す発光ダイオードなどを組み込んで形成されている。
【００１４】
一方、前記前壁１１と反対側にある後壁１４には、図２に示すように、前壁１１の把手１２と同様の把手１５が取り付けられている。また、この後壁１４には、便器本体１０の内部に組み込まれたパック部とその貯留部、これらに対する制御回路などに接続される電源コンセント１６、ヒューズ１７、電源をオンオフ操作する電源スイッチ１８が設けられ、後壁１４の四隅近傍に、円錐台状のゴム脚１９による接地脚が設けられている。本考案では、前記ゴム脚１９に代えてキャスタを設けることもある。また、電源スイッチ１８のほか、図示しないが、パック部などの動作のための操作スイッチを設けることもある。
【００１５】
便器本体１０の上面開放部には上壁２１を設置している。この上壁２１は、前壁１１、後壁１４およびこれらを接続する左右壁からなる側壁の上端部と結合されている。また、上壁２１の中央付近には、略卵形乃至円形の開口が設けられ、そこに合成樹脂製のここではＯ型の便座２２がヒンジを介して起伏可能、又は、位置決めボスと穴の組合せなどにより着脱可能に配設されている。便座２２はＵ型でもよいことはいうまでもない。
【００１６】
本考案ポータブルトイレ装置では、図示しないが、便器本体１０の内部において、便座２２の下方に、一回分ごとの排泄物を柔軟な袋体、例えば、合成樹脂フィルムからなる袋体に収容しかつヒートシールにより密閉するパック部と、このパック化された袋体を複数個貯留する貯留部を備えている。
【００１７】
パック部は、図示していないが、特開２００５−２６１５３０号公報や特開２００７−１１７２８４号公報などに記載されているように、筒状に連続した柔軟な袋体を、その長さ方向に折畳んだ状態で便器２３の外周の外側にセットし、この袋体の先端側を引出して便器２３（便座２２の下方にある）の上端部を巻くようにターンさせ当該便器２３の内側に導入することにより、この便器２３の内表面を覆うように配置してからそのままパック部に保持させる態様で使用する。言い換えると、前記袋体の先端側は便座２２の下方に配置されている円錐状をなす袋体ガイドを兼用する便座２３の内面側に配置される一方、その袋体の後端側は便器２３の外周上に折りたたまれた状態で配置される。
【００１８】
便器２３の内側において排泄物を収容した袋体をヒートシールにより封止するパッケージ機構は、図示しないが、便器２３の下方に位置してこの便器本体１０の内部に組み込まれている。ここで、パッケージ機構は、一例として前記袋体を挟持するシャッター、その袋体を下方へ送る送りローラ、袋体を封止するヒートシーラー、ヒートシールした袋体を切断するカッターなどを備えている。
【００１９】
排泄物が便座２２の下方の便器２３の内部にセットされている袋体に入ると、シャッターが開いてその袋体を下方に移動可能にすると共に、送りローラによって袋体を下方へ送り、この袋体の入口をヒートシールしてから切断し、密閉パックを完了する。前記切断動作によりシールされたパック（袋体）が下方へ落下すると共に、次の袋体が便器２３の内面にセットされるようになっている。
【００２０】
排泄物を収容してパック（封止）切断された個々の袋体の貯留部は、前記パッケージ機構の下方に位置して便器本体１０の内部における最下部に配置されている。この例では後述するように、貯留部の下部は、下蓋４０がその一部を形成している。本考案では貯留部に落下するパックされた袋体を、スクレーパーなどによって、当該貯留部内にて所定位置に移動させることがある。上記の一連の動作は、例えば便座２２に組み込んだ感圧スイッチによって発動させて図示しない制御回路のプロセッサーによって制御するようにしたり、図示しない操作スイッチの操作によってそのような動作をさせるようにしている。本考案では、貯留部を引出し式の箱状に形成し、便器本体１０の使用時の姿勢のままで当該本体１０から貯留部を引出して収容されている個々の袋体を処理するようにしてもよい。
【００２１】
この実施例において、上蓋３０は、最後部が便器本体１０にヒンジ３１によって連結されていると共に、前端部がラッチ３２によって便器本体１０に止められ、ラッチ３２を外すとヒンジ３１を中心に起立方向に回転でき、便座２２を覆う位置と上蓋２１を露出させる位置とに回転して開閉できるように形成されている。ここで、上蓋３０は、分割線３３によって区画された二つの部分３０ａと３０ｂに分け、ヒンジ３４によって両部３０ａと３０ｂを連結している。従って、この上蓋３０を開放して前半部３０ａを垂下させると、図４に示すように分割線３３を中心として前側の部分３０ａと後側の部分３０ｂが逆Ｖ字状に折れ曲がる、垂下した上蓋３０は、その下端が脚体５０をセットした便器本体１０の高さＨよりも小さい長さとなるように分割している。
【００２２】
下蓋４０は、便器本体１０の底面への嵌込みやビス止めなどによって施着され、この例では、前記貯留部の下カバーの一部を形成すると共に、前後がラッチ４１，４２によって便器本体１０に止められており、従って、ラッチ４１，４２を外せば、この下蓋４０を便器本体１０から取り外すことができる。
【００２３】
脚材５０は、使用者が便座２２に座ったときに丁度良い高さにするためのもので、便器本体１０に組み込まれている。図示した脚材５０は、一例として管材を略Ｕ字状曲げたもので、Ｕ字の開放部分を形成する二つの平行部分が図３に示すように便器本体１０の底面四隅に形成された穴状の脚挿入部２４に挿入され固定されている。脚材５０は、図１，図２に示す便器本体１０の脚挿入部２４に格納された位置と、図４に示す便器本体１０の脚挿入部２４から突出させて固定した使用位置との間で格納時と使用時を調節できるようになっている。図示しないが、脚材５０は、使用位置および格納位置で便器本体１０の脚挿入部２４に設けたビスなどによるストッパによって便器本体１０に結合され、かつ位置決め固定される。
【００２４】
上記例の脚材５０は、管材で形成した略Ｕ字状脚を、便器本体１０の裏面四隅に設けた脚挿入部２４に挿入，抜出し操作をして固定することにより、格納時と使用時の状態を作ったが、本考案における脚材５０とその設置態様は、上記例以外の形態，設置態様もあるので、次に述べる。
【００２５】
すなわち、脚材５０が上記例と同様の略Ｕ字状脚であっても、その末端部（左右２本とも）を便器本体１０の底面四隅に、ヒンジや軸を介して当該底面の内部側に向け伏倒させたり、側壁と平行に起立させて固定するように設ければ、９０度の起伏式で使用時と格納時の形態を形成することができる。
【００２６】
なお、脚材５０の折畳（伏倒）面は、便器本体１０の底面側ではなく、側壁側に折畳むようにすると、１８０度の起伏式で使用時と格納時の形態を形成することができる。
【００２７】
また、脚材５０の形態も、起伏式のものでは上記の略Ｕ字状のほか、逆Ｕ字状やパネル状の脚材を使用することができる。さらに、各脚材５０の配置も上記例のように便器本体１０の左右側に限られるものではなく、便器本体１０の前後側に配置することもできる。また、脚材に４本の独立した柱状体を用いたり、逆Ｔ状をなす脚材を用いることもできる。
【００２８】
本考案ポータブルトイレ装置は、上記のように、トイレとして必要十分な機能をもちながらも、不使用時や搬送時の外観はほぼトランク状の形態を呈し、しかも全高が２６０ｍｍ前後、全幅が４４０ｍｍ前後、全奥行きが４５０ｍｍ前後、そして重量が１８ｋｇ以下というコンパクトなサイズに形成されているので、大人が一人で容易に持運びすることができ、従って、普通乗用車のトランクや座席は勿論、バイクや自転車の荷台にも積載でき、さらには、手提げトランクのように人手によっても運搬できのるので、建築現場、イベント会場、海，山などであっても、容易かつ簡単に所定場所まで運搬して使用することができる。
【００２９】
持運んだ場所での設置は、このポータブルトイレ装置の脚材５０を便器本体１０から引き出してロックし、所定場所に配置する。次に、電源コンセント１６と電源とを電源ケーブルでつなぎ、ラッチ３２を解錠して上蓋３０を開けて便座２２を露出させ、電源をオンオフする電源スイッチ１８を操作して電源を入れ、パック部と貯留部を初期運転する操作スイッチを入れれば、使用できる状態になるので、トレイ装置の設置に特別な工具などを必要としない。
【００３０】
本考案ポータブルトイレ装置は、サイズがコンパクトである上に、積み込みや設置に際して、把手１２，１５を掴んで簡単に移動することができるのみならず、把手１２，１５に手を入れて、持ち上げたり方向を変えたりすることも容易である。
【００３１】
使用に際しては、便座２２に座り通常の要領で用を足せばよい。用を足したあと便座２２から立上ると、自動的に又は、ボタン操作などで便器本体１０の内部にあるパック部が、袋体をヒートシールして密閉パックし、貯留部に向けて落下させると共に、前記動作に連動して新たな袋体を便器２３の内面に供給し次の用便に備えるので、常時、便器２３は未使用状態にあり、とても清潔である。
【００３２】
パックした袋体が、例えば４〜５個が貯留部に貯まったら、例えば表示部１３の液晶板に標示されるので、管理者は、電源スイッチ１８をオフにし、ラッチ４１，４２を解錠して下蓋４０を開け、貯まっていたパックを外部に取り出す。取出しが終ったら、再び下蓋４０を便器本体１０に嵌め、ラッチ４１，４２を施錠することによって、次の用便に備えることができる。この結果、汚物が収容されてパックされた袋体の処理を衛生的に行うことができる。
【００３３】
便器２３の外周上にセットしていた袋体が無くなると、便器本体１０の上壁２１を便座２２と一緒に外し、袋体をあらためて便器２３にセットするが、その作業は至って簡単であり、しかも手を汚さずに作業することができる。
【００３４】
上記例において、上蓋３０を構成する二つの部分の折り曲げを許容するヒンジ３１は、上蓋３０の表面全体に合成樹脂などのシートを積層し、このシートを折り曲げ、ヒンジに代わるように構成してもよい。
【００３５】
また、脚材５０は、その格納位置において、便器本体１０の下面に設けた長溝に嵌めて便器本体１０の下面が全体としてフラットになるようにするなど、本考案の範囲を逸脱しないかぎりの変更や改造を行なうことができる。
【産業上の利用可能性】
【００３６】
本考案は以上の通りであって、ポータブルトイレ装置を、装置本体が上蓋又は上蓋と下蓋を有する略トランク状の形態で、立設する脚材によって床上に載置できるように形成された便器本体を備え、便器本体は、上壁に便座を、内部に、前記便座の下に袋体がセットされる便器とその下方に位置して袋体をヒートシールしてパックするパック部とパックした袋体を収容する貯留部とを、側壁外面に把手をそれぞれ備え、前記上蓋が、便座を覆う位置と上蓋を露出させる位置とに配置できるように前記便器本体に装設されると共に、前記便座を覆う位置で前記便器本体にラッチにより結合されるように構成したので、トイレ装置をコンパクトなトランク状で、しかも、大人が１人で持てる重さに形成することができ、従って、車輌に積載して容易に持運べることは勿論、トランクのように手に提げて持運ぶこともできるので、ポータブルトイレ装置としてきわめて有用である。
【図面の簡単な説明】
【００３７】
【図１】本考案ポータブルトイレ装置の実施形態の一例を示す斜視図。
【図２】図１のトイレ装置の背面図。
【図３】図１のトイレ装置の下面図。
【図４】図１〜図３の本考案ポータブルトイレ装置の使用状態を示す斜視図。
【符号の説明】
【００３８】
１０          便器本体
１１          前壁
１２          把手
１３          操作スイッチ
１４          後壁
１５          把手
１６          電源コンセント
１７          ヒューズ
１８          電源スイッチ
１９          脚部材（ゴム脚）
２１          上壁
２２          便座
２３          便器
２４          脚挿入部
３０          上蓋
３１          ヒンジ
３２          ラッチ
３３          分割線
３４          ヒンジ
４０          下蓋
４１，４２    ラッチ
５０          脚材
【図１】
0003143193.tif 000003
【図２】
0003143193.tif 000004
【図３】
0003143193.tif 000005
【図４】
0003143193.tif 000006